【手続補正書】
【提出日】平成21年3月16日(2009.3.16)
【手続補正１】
【補正対象書類名】明細書
【補正対象項目名】特許請求の範囲
【補正方法】変更
【補正の内容】
【特許請求の範囲】
【請求項１】  演奏データが示す楽音の音高に応じて、該楽音を示す音符を高音部五線または低音部五線に自動的に振り分けて表示する楽譜表示装置において、
演奏データが示す楽音のそれぞれについて各音高ごとの発音回数の分布を作成する分布作成手段と、
前記分布作成手段によって作成された分布に基づいて、前記分布の示す２つの山の谷間を検出する検出手段と、
前記検出手段によって検出された前記分布の示す２つの山の谷間に位置する音高を、高音部五線と低音部五線とに振り分けて音符を表示する際の分割点とする分割点設定手段と
を有する楽譜表示装置。
【請求項２】  請求項１に記載の楽譜表示装置において、
前記分布作成手段は、前記作成された分布から移動平均値の分布を取得する移動平均取得手段を有し、
前記検出手段は、前記移動平均取得手段により取得された移動平均値の分布から前記分布の示す２つの山の谷間を検出する
ものである楽譜表示装置。
【請求項３】  演奏データが示す楽音の音高に応じて、該楽音を示す音符を高音部五線または低音部五線に自動的に振り分けて表示する楽譜表示装置において、
演奏データが示す楽音のそれぞれについて各音高ごとの発音回数を検出する検出手段と、
前記検出手段の検出結果に基づいて、前記演奏データが示す楽音についての発音回数を考慮した平均音高を、高音部五線と低音部五線とに振り分けて音符を表示する際の分割点とする分割点設定手段と
を有する楽譜表示装置。
【請求項４】  演奏データが示す楽音の音符を高音部五線または低音部五線に自動的に表示する楽譜表示装置において、
演奏データが示す楽音の最低音と最高音との音域が所定の音域以内であるか否かを検出する検出手段と、
前記検出手段によって前記演奏データが示す楽音の最低音と最高音との音域が所定の音域以内であると検出されたときに、前記演奏データが示す楽音の音符を高音部五線または低音部五線のいずれか一方にのみ表示するように制御する表示制御手段と
を有する楽譜表示装置。
【請求項５】  請求項１または請求項２のいずれか１項に記載の楽譜表示装置において、
前記分割点設定手段は、前記分布作成手段によって作成された分布に基づいて前記演奏データが示す楽音のそれぞれについて各音高ごとの発音回数が所定のスレショルド値を超えない音高の範囲に分割点を設定する
楽譜表示装置。
【請求項６】  請求項５に記載の楽譜表示装置において、
前記分割点設定手段は、前記所定のスレショルド値を超えない楽音についての発音回数を考慮した平均音高を含む音高の範囲に分割点を設定する
楽譜表示装置。
【請求項７】  請求項５に記載の楽譜表示装置において、
前記分割点設定手段は、
前記所定のスレショルド値を超えない楽音についての発音回数を考慮した平均音高を含む音高の範囲に分割点を設定可能であるか否かを判断する判断手段を有し、
前記判断手段により前記平均音高を含む音高の範囲に分割点を設定可能であると判断された場合には、前記平均音高を含む音高の範囲に分割点を設定し、
前記判断手段により前記平均音高を含む音高の範囲に分割点を設定可能でないと判断された場合には、前記所定のスレショルド値を超えない楽音の音高の範囲の高音側または低音側において、前記分布作成手段によって作成された分布に基づいて前記演奏データが示す楽音のそれぞれについて各音高ごとの発音回数が所定のスレショルド値を超えない音高の範囲に分割点を設定する
楽譜表示装置。
【請求項８】  請求項５に記載の楽譜表示装置において、
前記分割点設定手段は、
前記所定のスレショルド値を超えない楽音についての発音回数を考慮した平均音高を含む音高の範囲に分割点を設定可能であるか否かを判断する第１の判断手段と、
前記第１の判断手段により前記平均音高を含む音高の範囲に分割点を設定可能でないと判断された場合には、前記所定のスレショルド値を超えない楽音の音高の範囲の高音側と低音側とにおいて、前記分布作成手段によって作成された分布に基づいて前記演奏データが示す楽音のそれぞれについて各音高ごとの発音回数が所定のスレショルド値を超えない音高の範囲に分割点を設定可能であるか否かを判断する第２の判断手段と
を有し、
前記第１の判断手段により前記平均音高を含む音高の範囲に分割点を設定可能であると判断された場合には、前記平均音高を含む音高の範囲に分割点を設定し、
前記第２の判断手段により前記高音側と前記低音側とにおいてそれぞれ分割点を設定可能であると判断された場合には、前記設定可能であるとされたそれぞれ分割点のうちで前記所定のスレショルド値を超えない楽音の音高の範囲の平均音高に近い音高の方を分割点として設定し、
前記第２の判断手段により前記高音側と前記低音側とのいずれか一方のみにおいて分割点を設定可能であると判断された場合には、前記設定可能であるとされた方を分割点として設定し、
前記第２の判断手段により前記高音側と前記低音側とにおいて分割点を設定可能でないと判断された場合には、所定の音高を分割点として設定する
楽譜表示装置。
【請求項９】  演奏データが示す楽音の音高に応じて、該楽音を示す音符を高音部五線または低音部五線に表示する楽譜表示装置において、
演奏データが示す楽音のそれぞれについて各楽音の音高を検出する検出手段と、
前記検出手段の検出結果に基づいて、前記演奏データが示す楽音の音符を高音部五線と低音部五線とに振り分けて表示するか否かを判断する第１の判断手段と、
前記第１の判断手段により前記演奏データが示す楽音の音符を高音部五線と低音部五線とに振り分けて表示すると判断された場合に、前記検出手段の検出結果に基づいて、前記演奏データが示す楽音の最低音と最高音との音域を所定の条件により２つの音域に分割可能であるか否かを判断する第２の判断手段と、
前記第１の判断手段により前記演奏データが示す楽音の音符を高音部五線と低音部五線とに振り分けて表示しないと判断された場合に、前記演奏データが示す楽音の音符を高音部五線または低音部五線のいずれか一方にのみ表示するように制御し、前記第２の判断手段により２つの音域に分割可能でないと判断された場合に、所定の音高を基準として前記演奏データが示す楽音の音符を高音部五線と低音部五線とに振り分けて表示するように制御し、前記第２の判断手段により２つの音域に分割可能であると判断された場合に、前記所定の条件により２つの音域に分割可能な音高を基準として前記演奏データが示す楽音の音符を高音部五線と低音部五線とに振り分けて表示するように制御する表示制御手段と
を有する楽譜表示装置。
【手続補正２】
【補正対象書類名】明細書
【補正対象項目名】００１４
【補正方法】変更
【補正の内容】
【００１４】
また、本発明のうち請求項２に記載の発明は、本発明のうち請求項１に記載の発明において、上記分布作成手段は、上記作成された分布から移動平均値の分布を取得する移動平均取得手段を有し、上記検出手段は、上記移動平均取得手段により取得された移動平均値の分布から上記分布の示す２つの山の谷間を検出するようにしたものである。
【手続補正３】
【補正対象書類名】明細書
【補正対象項目名】００１６
【補正方法】変更
【補正の内容】
【００１６】
また、本発明のうち請求項４に記載の発明は、演奏データが示す楽音の音符を高音部五線または低音部五線に自動的に表示する楽譜表示装置において、演奏データが示す楽音の最低音と最高音との音域が所定の音域以内であるか否かを検出する検出手段と、上記検出手段によって上記演奏データが示す楽音の最低音と最高音との音域が所定の音域以内であると検出されたときに、上記演奏データが示す楽音の音符を高音部五線または低音部五線のいずれか一方にのみ表示するように制御する表示制御手段とを有するようにしたものである。
また、本発明のうち請求項５に記載の発明は、本発明のうち請求項１または請求項２のいずれか１項に記載の発明において、上記分割点設定手段は、上記分布作成手段によって作成された分布に基づいて上記演奏データが示す楽音のそれぞれについて各音高ごとの発音回数が所定のスレショルド値を超えない音高の範囲に分割点を設定するようにしたものである。
また、本発明のうち請求項６に記載の発明は、本発明のうち請求項５に記載の発明において、上記分割点設定手段は、上記所定のスレショルド値を超えない楽音についての発音回数を考慮した平均音高を含む音高の範囲に分割点を設定するようにしたものである。
また、本発明のうち請求項７に記載の発明は、本発明のうち請求項５に記載の発明において、上記分割点設定手段は、上記所定のスレショルド値を超えない楽音についての発音回数を考慮した平均音高を含む音高の範囲に分割点を設定可能であるか否かを判断する判断手段を有し、上記判断手段により上記平均音高を含む音高の範囲に分割点を設定可能であると判断された場合には、上記平均音高を含む音高の範囲に分割点を設定し、上記判断手段により上記平均音高を含む音高の範囲に分割点を設定可能でないと判断された場合には、上記所定のスレショルド値を超えない楽音の音高の範囲の高音側または低音側において、上記分布作成手段によって作成された分布に基づいて上記演奏データが示す楽音のそれぞれについて各音高ごとの発音回数が所定のスレショルド値を超えない音高の範囲に分割点を設定するようにしたものである。
また、本発明のうち請求項８に記載の発明は、本発明のうち請求項５に記載の発明において、上記分割点設定手段は、上記所定のスレショルド値を超えない楽音についての発音回数を考慮した平均音高を含む音高の範囲に分割点を設定可能であるか否かを判断する第１の判断手段と、上記第１の判断手段により上記平均音高を含む音高の範囲に分割点を設定可能でないと判断された場合には、上記所定のスレショルド値を超えない楽音の音高の範囲の高音側と低音側とにおいて、上記分布作成手段によって作成された分布に基づいて上記演奏データが示す楽音のそれぞれについて各音高ごとの発音回数が所定のスレショルド値を超えない音高の範囲に分割点を設定可能であるか否かを判断する第２の判断手段とを有し、上記第１の判断手段により上記平均音高を含む音高の範囲に分割点を設定可能であると判断された場合には、上記平均音高を含む音高の範囲に分割点を設定し、上記第２の判断手段により上記高音側と上記低音側とにおいてそれぞれ分割点を設定可能であると判断された場合には、上記設定可能であるとされたそれぞれ分割点のうちで上記所定のスレショルド値を超えない楽音の音高の範囲の平均音高に近い音高の方を分割点として設定し、上記第２の判断手段により上記高音側と上記低音側とのいずれか一方のみにおいて分割点を設定可能であると判断された場合には、上記設定可能であるとされた方を分割点として設定し、上記第２の判断手段により上記高音側と上記低音側とにおいて分割点を設定可能でないと判断された場合には、所定の音高を分割点として設定するようにしたものである。
また、本発明のうち請求項９に記載の発明は、演奏データが示す楽音の音高に応じて、該楽音を示す音符を高音部五線または低音部五線に表示する楽譜表示装置において、演奏データが示す楽音のそれぞれについて各楽音の音高を検出する検出手段と、上記検出手段の検出結果に基づいて、上記演奏データが示す楽音の音符を高音部五線と低音部五線とに振り分けて表示するか否かを判断する第１の判断手段と、上記第１の判断手段により上記演奏データが示す楽音の音符を高音部五線と低音部五線とに振り分けて表示すると判断された場合に、上記検出手段の検出結果に基づいて、上記演奏データが示す楽音の最低音と最高音との音域を所定の条件により２つの音域に分割可能であるか否かを判断する第２の判断手段と、上記第１の判断手段により上記演奏データが示す楽音の音符を高音部五線と低音部五線とに振り分けて表示しないと判断された場合に、上記演奏データが示す楽音の音符を高音部五線または低音部五線のいずれか一方にのみ表示するように制御し、上記第２の判断手段により２つの音域に分割可能でないと判断された場合に、所定の音高を基準として上記演奏データが示す楽音の音符を高音部五線と低音部五線とに振り分けて表示するように制御し、上記第２の判断手段により２つの音域に分割可能であると判断された場合に、上記所定の条件により２つの音域に分割可能な音高を基準として上記演奏データが示す楽音の音符を高音部五線と低音部五線とに振り分けて表示するように制御する表示制御手段とを有するようにしたものである。
【手続補正４】
【補正対象書類名】明細書
【補正対象項目名】００９２
【補正方法】変更
【補正の内容】
【００９２】
このステップＳ３３６の判断処理において、スプリットポイント候補ＳＰ１とスプリットポイント候補ＳＰ２とのどちらか一方が設定できたと判断された場合には、ステップＳ３３８の処理へ進み、設定できた方のスプリットポイント候補をスプリットポイントＳＰとして設定する。